(57)【要約】      （修正有）【課題】従来の技術によれば、コストを抑制しつつ、作業員がポンプ井内に入ることなくポンプを引き上げることができない、又は、荷重増・コスト増となるという問題がある。コストを抑制しつつ、作業員がポンプ井内に入ることなくポンプを引き上げることを可能とする立軸ポンプシステム、立軸ポンプ及び立軸ポンプの設置方法を提供する。【解決手段】ポンプケーシングＰＰと、ポンプケーシングの外面に設けられたポンプ側張出部と、ポンプケーシングが設けられたポンプ井の側面または底面に固定された支持部と、を備え、ポンプケーシングを略水平方向に回転させることにより、ポンプ側張出部が略水平方向から支持部に固定される。【選択図】図１
2018044493.tif 000002
【特許請求の範囲】
【請求項１】
ポンプケーシングと、
前記ポンプケーシングの外面に設けられたポンプ側張出部と、
前記ポンプケーシングが設けられたポンプ井の側面または底面に固定された支持部と、
を備え、
前記ポンプケーシングを略水平方向に回転させることにより、前記ポンプ側張出部が前記略水平方向から前記支持部に固定される
立軸ポンプシステム。
【請求項２】
前記ポンプ側張出部は複数あり
前記支持部は、内側に前記突起部と接合可能な複数の支持側張出部を有し、
前記ポンプケーシングを略水平方向に回転させることにより、前記ポンプ側張出部それぞれが前記略水平方向から、対応する前記支持側張出部に固定される
請求項１に記載の立軸ポンプシステム。
【請求項３】
前記支持側張出部には溝またはテーパーが設けられており、
前記ポンプ側張出部は、前記支持側張出部の溝に嵌るか、あるいは前記支持側張出部のテーパー部分に当接して固定される
請求項２に記載の立軸ポンプシステム。
【請求項４】
前記ポンプ側張出部は、先端になるほど細くなるテーパーが設けられており、
前記支持側張出部の溝は前記ポンプケーシングの径方向に細くなるように形成されており、
前記ポンプ側張出部は、前記支持側張出部の溝に嵌って固定される
請求項３に記載の立軸ポンプシステム。
【請求項５】
前記ポンプ側張出部は、先端になるほど細くなるテーパーが設けられており、
前記支持側張出部の前記テーパー部分は、先端になるほど細くなっており
前記ポンプ側張出部のテーパー部分と前記支持側張出部のテーパー部分が当接して固定される
請求項３に記載の立軸ポンプシステム。
【請求項６】
前記支持側張出部の溝は略水平に設けられており、
前記支持側張出部の溝は、前記ポンプ側張出部が回転して当該溝に押し込まれる方向に細くなるように形成されている
請求項３に記載の立軸ポンプシステム。
【請求項７】
前記支持部は、前記ポンプ井の底面に固定されており、
前記ポンプ側張出部は、前記ポンプケーシングに含まれる吸込ベルマウスの外面に設けられている
請求項１または２に記載の立軸ポンプシステム。
【請求項８】
前記支持部は、前記吸込ベルマウスの開口の中央付近に向かって隆起を有し、当該隆起の先端が前記吸込ベルマウスの内側に位置するように配置されている
請求項７に記載の立軸ポンプシステム。
【請求項９】
前記支持部は、略十字状の十字部材を有し、当該十字部材が前記吸込ベルマウスの下方に位置する
請求項７に記載の立軸ポンプシステム。
【請求項１０】
前記吸込ベルマウスの周囲に吸込に伴う渦を抑制するための渦抑制部材を更に備える
請求項７から９のいずれか一項に記載の立軸ポンプシステム。
【請求項１１】
ポンプケーシングと、
前記ポンプケーシングの外面に設けられたポンプ側張出部と、
を備え、
前記ポンプケーシングが設けられたポンプ井の側面または底面には、支持部が固定されており、
前記ポンプケーシングを略水平方向に回転させることにより、前記ポンプ側張出部が前記略水平方向から前記支持部に固定される
立軸ポンプ。
【請求項１２】
ポンプケーシングと前記ポンプケーシングの外面に設けられた突起部とを有する立軸ポンプの設置方法であって、
前記ポンプケーシングを略水平方向に回転させることにより、前記突起部を前記略水平方向から、ポンプケーシングが設けられたポンプ井の側面または底面に固定された支持部に固定させる
立軸ポンプの設置方法。
【発明の詳細な説明】
【技術分野】
【０００１】
本発明は、立軸ポンプシステム、立軸ポンプ及び立軸ポンプの設置方法に関する。
【背景技術】
【０００２】
立軸ポンプは、羽根車、羽根車が収納された吐出ケーシング、吐出ケーシングと接続される揚水管（吊下管）、揚水管と接続される吐出管などにより構成される。立軸ポンプは、ポンプ室床面の開口部から、吐出ケーシング及び揚水管がポンプ井内に吊り下げられた状態で設置される。そのため、ポンプ室からポンプ井までの距離が長くなるにつれ、揚水管の寸法が長くなる。揚水管寸法が長くなるにつれ、ポンプ自体が揺れ易くなると共に、共振が問題となるケースが有る。共振とは、ポンプの固有振動数がポンプの運転周波数と一致して、設置箇所を支点として大きく振動してしまう現象である。この問題に対して以下の振動対策がある。
【０００３】
第１の対策例として、剛性を上げるため、揚水管の肉厚を増やしたり、揚水管に補強用のリブを有するようにしたりすることがある。第２の対策例として、揚水管や吐出ボウルを支持材（鋼材）を用いてポンプ井（土木構造物）と固定する方法、あるいは揚水管とポンプ井の床とを連接する方法（特許文献１参照）など、揚水管と床とを連結する中間支持部材を用いて揚水管を固定する方法がある。
【先行技術文献】
【特許文献】
【０００４】
【特許文献１】特開２０１５−１５８１３３号公報
【発明の概要】
【発明が解決しようとする課題】
【０００５】
第１の対策例では、剛性を上げるには設計的な限界も有るが、ポンプ材料費が増加するという問題がある。また、ポンプ質量が増加し、ポンプ井の床面荷重が増加するので、ポンプ井の床の荷重耐性を強化する必要があるため、コストが増加するという問題がある。
第２の対策例では、ポンプ据付後、点検などでポンプ引き上げが必要となる場合、都度、ポンプ井内に作業員が降り、足場等を用意した上で、中間支持部材の取り外し作業が必要となる。その際、ポンプ井内の排水や、ポンプ設備の運用停止が必要となるが、ポンプ設置環境によっては、ポンプ井内に入ることが困難な場合がある。また、一つのポンプ井に複数台のポンプが設置されており、設備の運用継続が必要なため、ポンプ井内の排水が困難で、当該中間支持部材の取り外しが困難な場合がある。
【０００６】
特許文献１では、躯体側固定部をポンプ井内の躯体ではなく床の上面側に固定することで、中間支持部材の取り付け及びメンテナンスを床上から行うことができるので、作業のために作業員が床下にもぐる必要がなくなる。しかし、特許文献２では、中間支持部材の支持位置が下方になればなるほど、中間支持部材の剛性確保のために荷重増となり、ポンプ井の床の荷重耐性を強化する必要があるため、コストが増加するという問題がある。
【０００７】
このように従来の技術によれば、コストを抑制しつつ、作業員がポンプ井内に入ることなくポンプを引き上げることができない、又は、荷重増・コスト増となるという問題がある。
【０００８】
本発明は、上記問題に鑑みてなされたものであり、コストを抑制しつつ、作業員がポンプ井内に入ることなくポンプを引き上げることを可能とする立軸ポンプシステム、立軸ポンプ及び立軸ポンプの設置方法を提供することを目的とする。
【課題を解決するための手段】
【０００９】
本発明の第１の態様に係る立軸ポンプシステムによれば、ポンプケーシングと、前記ポンプケーシングの外面に設けられたポンプ側張出部と、前記ポンプケーシングが設けられたポンプ井の側面または底面に固定された支持部と、を備え、前記ポンプケーシングを略水平方向に回転させることにより、前記ポンプ側張出部が前記略水平方向から前記支持部に固定される。
【００１０】
この構成によれば、ポンプケーシングを略水平方向に回転させることにより、ポンプ側張出部が略水平方向から支持部に固定されポンプケーシングが固定される。このため、ポンプ引き上げのときには、ポンプケーシングを略水平方向に回転させることによって、ポンプ側張出部を支持部から離した後に、ポンプケーシングを引き上げることができる。これにより、作業員がポンプ井内に入ることなくポンプケーシングを引き上げることができる。また、支持部の剛性をそれほど向上させる必要がないので、コストも抑制することができる。このように、コストを抑制しつつ、作業員がポンプ井内に入らずにポンプを引き上げることができる。
【００１１】
本発明の第２の態様に係る立軸ポンプシステムによれば、第１の態様に係る立軸ポンプシステムであって、前記ポンプ側張出部は複数あり前記支持部は、内側に前記突起部と接合可能な複数の支持側張出部を有し、前記ポンプケーシングを略水平方向に回転させることにより、前記ポンプ側張出部それぞれが前記略水平方向から、対応する前記支持側張出部に固定される。
【００１２】
この構成によれば、ポンプ引き上げのときには、ポンプケーシングを略水平方向に回転させることによって、ポンプ側張出部が支持側張出部から外れた後に、ポンプケーシングを引き上げることができる。これにより、作業員がポンプ井内に入ることなくポンプケーシングＰＰを引き上げることができる。また、支持部ＳＴの剛性をそれほど向上させる必要がないので、コストも抑制することができる。
【００１３】
本発明の第３の態様に係る立軸ポンプシステムによれば、第２の態様に係る立軸ポンプシステムであって、前記支持側張出部には溝またはテーパーが設けられており、前記ポンプ側張出部は、前記支持側張出部の溝に嵌るか、あるいは前記支持側張出部のテーパー部分に当接して固定される。
【００１４】
この構成によれば、ポンプ側張出部は、支持側張出部に確実に固定されるので、ポンプの振動を抑えることができる。
【００１５】
本発明の第４の態様に係る立軸ポンプシステムによれば、第３の態様に係る立軸ポンプシステムであって、前記ポンプ側張出部は、先端になるほど細くなるテーパーが設けられており、前記支持側張出部の溝は前記ポンプケーシングの径方向に細くなるように形成されており、前記ポンプ側張出部は、前記支持側張出部の溝に嵌って固定される。
【００１６】
この構成によれば、ポンプ側張出部の先端部分が支持側張出部の溝にしっかり嵌るので、ポンプの振動を抑えることができる。
【００１７】
本発明の第５の態様に係る立軸ポンプシステムによれば、第３の態様に係る立軸ポンプシステムであって、前記ポンプ側張出部は、先端になるほど細くなるテーパーが設けられており、前記支持側張出部の前記テーパー部分は、先端になるほど細くなっており前記ポンプ側張出部のテーパー部分と前記支持側張出部のテーパー部分が当接して固定される。
【００１８】
この構成によれば、ポンプ側張出部が支持側張出部にしっかり固定されるので、ポンプの振動を抑えることができる。
【００１９】
本発明の第６の態様に係る立軸ポンプシステムによれば、第３の態様に係る立軸ポンプシステムであって、前記支持側張出部の溝は略水平に設けられており、前記支持側張出部の溝は、前記ポンプ側張出部が回転して当該溝に押し込まれる方向に細くなるように形成されている。
【００２０】
この構成によれば、ポンプ側張出部が回転して当該溝に押し込まれることにより、ポンプ側張出部を支持側張出部の溝にしっかりと嵌めることができる。これにより、ポンプ側張出部をしっかりと固定することができるので、ポンプケーシングをしっかりと固定することができる。
【００２１】
本発明の第７の態様に係る立軸ポンプシステムによれば、第１または２の態様に係る立軸ポンプシステムであって、前記支持部は、前記ポンプ井の底面に固定されており、前記ポンプ側張出部は、前記ポンプケーシングに含まれる吸込ベルマウスの外面に設けられており、前記ポンプケーシングを略水平方向に回転させることにより、前記ポンプ側張出部が前記略水平方向から前記支持部に固定される。
【００２２】
この構成によれば、吸込ベルマウスが固定されるので、ポンプケーシングが固定され、ポンプの振動を抑制することができる。
【００２３】
本発明の第８の態様に係る立軸ポンプシステムによれば、第７の態様に係る立軸ポンプシステムであって、前記支持部は、前記吸込ベルマウスの開口の中央付近に向かって隆起を有し、当該隆起の先端が前記吸込ベルマウスの内側に位置するように配置されている。
【００２４】
この構成によれば、水の旋回流によって形成される水中の渦を抑制することができる。
【００２５】
本発明の第９の態様に係る立軸ポンプシステムによれば、第７の態様に係る立軸ポンプシステムであって、前記支持部は、略十字状の十字部材を有し、当該十字部材が前記吸込ベルマウスの下方に位置する。
【００２６】
この構成によれば、水の旋回流によって形成される水中の渦を抑制することができる。
【００２７】
本発明の第１０の態様に係る立軸ポンプシステムによれば、第７から９のいずれかの態様に係る立軸ポンプシステムであって、前記吸込ベルマウスの周囲に吸込に伴う渦を抑制するための渦抑制部材を更に備える。
【００２８】
この構成によれば、渦抑制部材ＥＩが渦の旋回を物理的に抑えるので、水の表面から空気を吸い込んで形成される渦（空気吸込渦）を抑制することができる。
【００２９】
本発明の第１１の態様に係る立軸ポンプによれば、ポンプケーシングと、前記ポンプケーシングの外面に設けられたポンプ側張出部と、を備え、前記ポンプケーシングが設けられたポンプ井の側面または底面には、支持部が固定されており、前記ポンプケーシングを略水平方向に回転させることにより、前記ポンプ側張出部が前記略水平方向から前記支持部に固定される。
【００３０】
この構成によれば、ポンプケーシングを略水平方向に回転させることにより、ポンプ側張出部を略水平方向から支持部に固定されてポンプケーシングが固定される。このため、ポンプ引き上げのときには、ポンプケーシングを略水平方向に回転させることによって、ポンプ側張出部を支持部から離した後に、ポンプケーシングを引き上げることができる。これにより、作業員がポンプ井内に入ることなくポンプケーシングを引き上げることができる。また、支持部の剛性をそれほど向上させる必要がないので、コストも抑制することができる。このように、コストを抑制しつつ、作業員がポンプ井内に入らずにポンプを引き上げることができる。
【００３１】
本発明の第１２の態様に係る立軸ポンプの設置方法によれば、ポンプケーシングと前記ポンプケーシングの外面に設けられた突起部とを有する立軸ポンプの設置方法であって、前記ポンプケーシングを略水平方向に回転させることにより、前記突起部を前記略水平方向から、ポンプケーシングが設けられたポンプ井の側面または底面に固定された支持部に固定させる。
【００３２】
この構成によれば、ポンプケーシングを略水平方向に回転させることにより、ポンプ側張出部を略水平方向から支持部に固定されてポンプケーシングが固定される。このため、ポンプ引き上げのときには、ポンプケーシングを略水平方向に回転させることによって、ポンプ側張出部を支持部から離した後に、ポンプケーシングを引き上げることができる。これにより、作業員がポンプ井内に入ることなくポンプケーシングを引き上げることができる。また、支持部の剛性をそれほど向上させる必要がないので、コストも抑制することができる。このように、コストを抑制しつつ、作業員がポンプ井内に入らずにポンプを引き上げることができる。
【発明の効果】
【００３３】
本発明によれば、ポンプケーシングを略水平方向に回転せることにより、ポンプ側張出部が略水平方向から支持部に固定されてポンプケーシングが固定される。このため、ポンプ引き上げのときには、ポンプケーシングを略水平方向に回転させることによって、ポンプ側張出部を支持部から離した後に、ポンプケーシングを引き上げることができる。これにより、作業員がポンプ井内に入ることなくポンプケーシングを引き上げることができる。また、支持部の剛性をそれほど向上させる必要がないので、コストも抑制することができる。このように、コストを抑制しつつ、作業員がポンプ井内に入ることなくポンプを引き上げることができる。
【図面の簡単な説明】
【００３４】
【図１】第１の実施形態に係るポンプシステムＰＳの概略断面図である。
【図２】図２（Ａ）は、立軸ポンプＰを吊り降ろした場合の図１のＡ−Ａ断面図である。図２（Ｂ）は、立軸ポンプＰを回転させて固定した場合の図１のＡ−Ａ断面図である。
【図３】図２（Ｂ）のＢ−Ｂ矢視図である。
【図４】図３の領域Ｒ１の拡大図である。
【図５】変形例に係る図３の領域Ｒ１の拡大図である。
【図６】変形例に係るポンプケーシングＰＰの設置例を示す断面図である。
【図７】第２の実施形態に係るポンプシステムＰＳ２の概略断面図である。
【図８】図７のＣ−Ｃ断面図である。
【図９】図８のＤ−Ｄ断面図である。
【図１０】図９のＥ−Ｅ断面図である。
【図１１】変形例に係る図９のＥ−Ｅ断面図である。
【図１２】第２の実施形態の変形例に係るポンプシステムＰＳ２’の概略断面図である。
【図１３】第３の実施形態に係るポンプシステムＰＳ３の下方部分の断面図である。
【図１４】図１３のＦ−Ｆ断面図である。
【図１５】第３の実施形態の第１の変形例に係るポンプシステムＰＳ３−１の下方部分の断面図である。
【図１６】図１５のＧ−Ｇ断面図である。
【図１７】第３の実施形態の第２の変形例に係るポンプシステムＰＳ３−２の下方部分の断面図である。
【図１８】第３の実施形態の第２の変形例に係る支持部ＳＴｆの概略斜視図である。
【図１９】第３の実施形態の第３の変形例に係るポンプシステムＰＳ３−３の下方部分の断面図である。
【図２０】図１９のＨ−Ｈ断面図である。
【発明を実施するための形態】
【００３５】
以下、各実施形態について、図面を参照しながら説明する。
＜第１の実施形態＞
図１は、第１の実施形態に係るポンプシステムＰＳの概略断面図である。図１に示すように、ポンプシステムＰＳは、立軸ポンプＰと、ポンプ井（吸込水槽）ＴＫと、ポンプ井ＴＫの上面に設けられたポンプ据付床ＦＬを備える。ポンプ井ＴＫには水が張られている。
【００３６】
立軸ポンプＰは、回転軸ＭＳと、回転軸ＭＳに連結された羽根車ＩＰと、羽根車ＩＰを内包し回転軸ＭＳが貫通するポンプケーシングＰＰを備える。ポンプケーシングＰＰは、羽根車ＩＰによってポンプ井ＴＫから汲み上げられた水が通る部位であり、ポンプケーシングＰＰを通った水は吐出管ＤＰを通って吐き出される。ポンプケーシングＰＰは、開口を有する吸込ベルマウスＢＬと、羽根車ＩＰを収容するポンプボウルＤＣと、揚水管ＬＰとを有する。
【００３７】
揚水管ＬＰは、ポンプ井ＴＫの上部のポンプ据付床ＦＬに形成された挿通口を通して下方に延び、揚水管ＬＰの上側に設けられたポンプ取付部ＡＰ、シムＳＭを介して、ポンプ据付床ＦＬに固定された据付用ベースＰＢに固定される。回転軸ＭＳは、揚水管ＬＰ、ポンプボウルＤＣ内を通って鉛直方向に延びている。
【００３８】
吸込ベルマウスＢＬは下方を向いて開口し、吸込ベルマウスＢＬの上端はポンプボウルＤＣの下端に接続されている。羽根車ＩＰは回転軸ＭＳの下端に固定されており、羽根車ＩＰと回転軸ＭＳとは一体で回転する。この羽根車１０の上方（吐出側）には複数のガイドベーンＧＢが配置されている。これらのガイドベーンＧＢは吐出しボウルＤＣの内周面に固定されている。回転軸ＭＳは外軸受ＯＢおよび水中軸受ＷＢにより回転自在に支持されている。水中軸受ＷＢはポンプボウルＤＣ内に収容されており、羽根車ＩＰの上方に配置されている。水中軸受ＷＢを支持する支持部材ＳＢは吐出しボウルＤＣの内面に固定されている。外軸受ＯＢはボールベアリングなどの転がり軸受であり、水中軸受ＷＢは、回転軸ＭＳに滑り接触する、いわゆる滑り軸受である。
【００３９】
更にポンプシステムＰＳは、ポンプ取付部ＡＰに設けられた点検孔ＣＨを介してポンプ井ＴＫ内へ設置された内視鏡カメラＣＭを備える。更にポンプシステムＰＳは、ポンプケーシングＰＰが設けられたポンプ井ＴＫの側面に固定された支持部ＳＴを備える。
【００４０】
続いて図２〜４を用いて、ポンプケーシングＰＰの固定方法について説明する。図２（Ａ）は、立軸ポンプＰを吊り降ろした場合の図１のＡ−Ａ断面図である。図２（Ａ）に示すように、一例として、ポンプケーシングＰＰの揚水管ＬＰの外面にポンプ側張出部Ｐ１、Ｐ２、Ｐ３、Ｐ４が設けられている。
【００４１】
図２（Ｂ）は、立軸ポンプＰを回転させて固定した場合の図１のＡ−Ａ断面図である。図２（Ｂ）に示すように、支持部ＳＴは、内側にポンプ側張出部Ｐ１〜Ｐ４と接合可能な複数の支持側張出部Ｓ１、Ｓ２、Ｓ３、Ｓ４を有する。図２（Ｂ）の矢印に示すように、図２（Ａ）の状態から、ポンプケーシングを略水平方向に回転させ、ポンプケーシング上部のポンプ取付部ＡＰをポンプ据付床ＦＬに固定された据付用ベースＰＢに固定することにより、ポンプ側張出部Ｐ１〜Ｐ４それぞれが略水平方向から、対応する支持側張出部Ｓ１〜Ｓ４に固定される。
【００４２】
この構成によれば、ポンプ引き上げのときには、ポンプケーシングＰＰを略水平方向に回転させることによって、ポンプ側張出部Ｐ１〜Ｐ４を支持側張出部Ｓ１〜Ｓ４から離した後に、ポンプケーシングＰＰを引き上げることができる。これにより、作業員がポンプ井ＴＫ内に入ることなくポンプケーシングＰＰを引き上げることができる。また、支持部ＳＴの剛性をそれほど向上させる必要がないので、コストも抑制することができる。
【００４３】
なお、ポンプの据付誤差や精度を調整できる手段を備えることが好ましい。例えば、据付用ベースＰＢに固定するためのポンプ取付部ＡＰの固定用ボルト穴は、長穴等にしてもよい。これによりポンプ回転方向の据付誤差を調整することができる。また据付用ベースＰＢはシムＳＭ等を用い高さを調整できる。これによりポンプの鉛直方向の据付位置を調整することができる。内視鏡カメラＣＭは、ポンプ側張出部Ｐ１〜Ｐ４が支持側張出部Ｓ１〜Ｓ４に確実に当接している事を検出（センシング）する。このため、ポンプケーシングＰＰの変位等を点検可能である。
【００４４】
図３は、図２（Ｂ）のＢ−Ｂ矢視図である。図３に示すように、揚水管ＬＰの外面に設けられたポンプ側張出部Ｐ２が支持側張出部Ｓ２に当接し、ポンプ側張出部Ｐ４が支持側張出部Ｓ４に当接している。図４は、図３の領域Ｒ１の拡大図である。図４に示すように、支持側張出部Ｓ２には溝が設けられており、ポンプ側張出部Ｐ２は、支持側張出部Ｓ２の溝に嵌ることにより固定される。この構成により、ポンプ側張出部Ｐ２は、支持側張出部Ｓ２にしっかりと固定されるので、ポンプケーシングＰＰの揺れ及び共振を抑えることができる。
【００４５】
また図４に示すように、ポンプ側張出部Ｐ２は、先端になるほど細くなるテーパーが設けられており、支持側張出部Ｓ２の溝はポンプケーシングＰＰの径方向に細くなるように形成されている。図４に示すように、ポンプ側張出部Ｐ２は、支持側張出部Ｓ２の溝に嵌って固定される。この構成により、ポンプ側張出部Ｐ２の先端部分が支持側張出部Ｓ２の溝にしっかり嵌るので、ポンプケーシングＰＰの揺れ及び共振を抑えることができる。
【００４６】
なお、図５は、変形例に係る図３の領域Ｒ１の拡大図である。図５のように、支持側張出部Ｓ２にはテーパーが設けられており、ポンプ側張出部Ｐ２は、支持側張出部Ｓ２のテーパー部分に当接して固定されてもよい。この構成により、ポンプ側張出部Ｐ２は、支持側張出部Ｓ２にしっかりと固定されるので、ポンプケーシングＰＰの揺れ及び共振を抑えることができる。
【００４７】
また図５に示すように、ポンプ側張出部Ｐ２は、先端になるほど細くなるテーパーが設けられており、支持側張出部Ｓ２のテーパー部分は先端になるほど細くなっている。図５に示すように、ポンプ側張出部Ｐ２のテーパー部分と支持側張出部Ｓ２のテーパー部分が当接して固定される。この構成により、ポンプ側張出部Ｐ２が支持側張出部Ｓ２にしっかり固定されるので、ポンプケーシングＰＰの揺れ及び共振を抑えることができる。
【００４８】
本実施形態によれば、図２（Ｂ）の矢印に示すように、図２（Ａ）の状態から、ポンプケーシングＰＰを略水平方向に回転させることにより、ポンプ側張出部Ｐ１〜Ｐ４が略水平方向から支持部ＳＴに固定される。
【００４９】
この構成によれば、ポンプケーシングＰＰを略水平方向に回転せることにより、ポンプ側張出部Ｐ１〜Ｐ４が略水平方向から支持部に固定される。これにより、ポンプケーシングＰＰが固定されるため、ポンプ引き上げのときには、ポンプケーシングＰＰを略水平方向に回転させることによって、ポンプ側張出部Ｐ１〜Ｐ４を支持部ＳＴから離した後に、ポンプケーシングＰＰを引き上げることができる。このため、作業員がポンプ井ＴＫ内に入ることなくポンプケーシングＰＰを引き上げることができる。また、支持部ＳＴの剛性をそれほど向上させる必要がないので、コストも抑制することができる。
【００５０】
なお、本実施形態では、ポンプ側張出部Ｐ１〜Ｐ４を揚水管ＬＰに設けたが、これに限らず、ポンプボウルＤＣまたは吸込ベルマウスＢＬに設けてもよい。また、本実施形態では、突起部を４個設けたが、１〜３個であってもよいし、５個以上であってもよい。
また、本実施形態では、ポンプケーシングＰＰと羽根車ＩＰが別々となったポンプを引き上げる例について説明したが、ポンプケーシングＰＰと羽根車ＩＰが一体となったポンプを引き上げる場合もある。
【００５１】
＜変形例＞
図６は、変形例に係るポンプケーシングＰＰの設置例を示す断面図である。図６に示すように、ポンプ井ＴＫの第１の側面に支持側張出部Ｓ１と支持側張出部Ｓ２が設置されている。ポンプ井ＴＫの第１の側面とは対向する第２の側面に支持側張出部Ｓ３と支持側張出部Ｓ４が設置されている。図６に示すように、ポンプケーシングＰＰの外面にはポンプ側張出部Ｐ１〜Ｐ４が設けられ、ポンプ側張出部Ｐ１〜Ｐ４が、対応する支持側張出部Ｓ１〜Ｓ４と当接することにより固定される。これにより、揚水管ＬＰが固定され、ポンプケーシングＰＰの位置が固定される。
【００５２】
＜第２の実施形態＞
続いて、第２の実施形態について説明する。図７は、第２の実施形態に係るポンプシステムＰＳ２の概略断面図である。図１と同じ要素には同一の符号を付し、その説明を省略する。図７の第２の実施形態に係るポンプシステムＰＳ２は、図１の第１の実施形態に係るポンプシステムＰＳに比べて、支持部ＳＴが支持部ＳＴｂに変更されたものになっている。また、図７の第２の実施形態に係るポンプＰ２は、図１の第１の実施形態に係るポンプＰに比べて、ポンプ側張出部Ｐ２、Ｐ４がポンプ側張出部Ｐｂ２、Ｐｂ４に変更されたものになっている。
【００５３】
図８は、図７のＣ−Ｃ断面図である。図８に示すように、揚水管ＬＰには、ポンプ側張出部Ｐｂ１〜Ｐｂ４が設けられている。ポンプ側張出部Ｐｂ１〜Ｐｂ４が構造が、第１の実施形態と異なり、ジョイントアームの形状を有しており、アームは垂直方法に曲がる関節を有する。矢印に示すように、揚水管ＬＰが回転されて、ポンプ側張出部Ｐｂ１〜Ｐｂ４を対応する支持側張出部Ｓｂ１〜Ｓｂ４に嵌まることによって、ポンプ側張出部Ｐｂ１〜Ｐｂ４が固定される。これにより、揚水管ＬＰが固定され、ポンプケーシングＰＰの位置が固定される。
【００５４】
図９は、図８のＤ−Ｄ断面図である。図９に示すように、支持側張出部Ｓｂ２、Ｓｂ４の溝は略水平に設けられており、この溝に対応するポンプ側張出部Ｐｂ２、Ｐｂ４が嵌るように構成されている。図１０は、図９のＥ−Ｅ断面図である。図１０に示すように、支持側張出部Ｓｂ４の溝は、ポンプ側張出部Ｐｂ４が回転して当該溝に押し込まれる方向に細くなるように形成されている。この構成により、ポンプ側張出部Ｐｂ４が回転して当該溝に押し込まれることにより、ポンプ側張出部Ｐｂ４を支持側張出部Ｓｂ４の溝にしっかりと嵌めることができる。これにより、ポンプ側張出部Ｐｂ４をしっかりと固定することができるので、ポンプケーシングＰＰをしっかりと固定することができる。
【００５５】
なお、図１１は、変形例に係る図９のＥ−Ｅ断面図である。図１１に示すように、支持側張出部Ｓｂ４の上面に、当該溝まで貫通する貫通孔が設けられており、床上から固定棒ＨＭをこの貫通孔を通して溝まで通すことにより、ポンプ側張出部Ｐｂ４を支持側張出部Ｓｂ４の溝の奥に押し込んでもよい。
【００５６】
また、図１２は、第２の実施形態の変形例に係るポンプシステムＰＳ２’の概略断面図である。図１２に示すように、第２の実施形態の変形例に係るポンプシステムＰＳ２’は、支持部ＳＴの他に、吸込ベルマウスＢＬを指示する支持部ＳＴ２を設けられている。図１２の第２の実施形態の変形例に係るポンプＰ２’は、図７の第２の実施形態に係るポンプＰに比べて、更にポンプ側張出部Ｐ２２、Ｐ２４が追加されたものになっている。吸込ベルマウスＢＬの外面には例えば、不図示のポンプ側張出部が残り二つあり、合計で四つのポンプ側張出部が設けられている。
【００５７】
ポンプケーシングＰＰを略水平方向に回転させることにより、ポンプ側張出部Ｐｂ２、Ｐｂ４それぞれが略水平方向から支持部ＳＴに固定されるとともに、ポンプ側張出部Ｐ２２、Ｐ２４それぞれが略水平方向から支持部ＳＴ２に固定される。支持部ＳＴ２の構造は、支持部ＳＴと同様であるので、その詳細な説明を省略する。
【００５８】
＜第３の実施形態＞
続いて、第３の実施形態について説明する。第１及び２の実施形態では、ポンプケーシングＰＰを、支持部を介してポンプ井ＴＫの側面に固定した。それに対し、第１及び２の実施形態では、ポンプケーシングＰＰを、支持部を介してポンプ井ＴＫの底面に固定する。具体的には、第１及び２の実施形態では、揚水管ＬＰを、支持部を介してポンプ井ＴＫの側面に固定したが、第３の実施形態では、吸込ベルマウスＢＬを、支持部を介してポンプ井ＴＫの側面に固定する。
【００５９】
図１３は、第３の実施形態に係るポンプシステムＰＳ３の下方部分の断面図である。なお、ポンプシステムＰＳ３の上方部分は、第１の実施形態のポンプシステムＰＳと同様であるので、その説明を省略する。図１３に示すように、支持部ＳＴｃは、ポンプ井ＴＫの底面に固定されている。支持部ＳＴｃは山形ライナの形状を有する。具体的には、支持部ＳＴｃは、吸込ベルマウスＢＬの開口の中央付近に向かって隆起を有し、当該隆起の先端が吸込ベルマウスＢＬの内側に位置するように配置されている。このような構造を有することにより、水の旋回流によって形成される水中の渦を抑制することができる。
【００６０】
図１４は、図１３のＦ−Ｆ断面図である。図１４に示すように、ポンプ側張出部Ｐｃ１、Ｐｃ２、Ｐｃ３、Ｐｃ４は、ポンプケーシングＰＰに含まれる吸込ベルマウスＢＬの外面に設けられている。図１４に示すように、ポンプケーシングＰＰを略水平方向に回転させることにより、ポンプ側張出部Ｐｃ１〜Ｐｃ４それぞれが略水平方向から、対応する支持側張出部Ｓｃ１〜Ｓｃ４に固定される。このように、ポンプケーシングＰＰを略水平方向に回転せることにより吸込ベルマウスＢＬが支持部ＳＴｃに固定される。この構成により、吸込ベルマウスＢＬが固定されるので、ポンプケーシングＰＰが固定され、ポンプケーシングＰＰの揺れ及び共振を抑制することができる。
【００６１】
＜第１の変形例＞
図１５は、第３の実施形態の第１の変形例に係るポンプシステムＰＳ３−１の下方部分の断面図である。図１５に示すように、第１の変形例に係る支持部ＳＴｄは隆起を有していない。図１５のＧ−Ｇ断面図である。図１５に示すように、支持部ＳＴｄは、略十字状の十字部材ＪＰを有する。当該十字部材ＪＰが吸込ベルマウスＢＬの下方に位置する。このような構造を有することにより、水の旋回流によって形成される水中の渦を抑制することができる。
【００６２】
なお、本変形例に係る支持部ＳＴｄも、第３の実施形態のＳＴｃと同様に、四つのポンプ側張出部が、ポンプケーシングＰＰに含まれる吸込ベルマウスＢＬの外面に設けられている。ポンプケーシングＰＰを略水平方向に回転させることにより、ポンプ側張出部それぞれが略水平方向から、対応する支持側張出部に固定される。
【００６３】
＜第２の変形例＞
図１７は、第３の実施形態の第２の変形例に係るポンプシステムＰＳ３−２の下方部分の断面図である。図１７に示すように、第２の変形例に係るポンプシステムＰＳ３−２は、吸込ベルマウスＢＬの周囲に、吸込に伴う渦を抑制するための渦抑制部材ＥＩを備える。この構成により、渦抑制部材ＥＩが渦の旋回を物理的に抑えるので、水の表面から空気を吸い込んで形成される渦（空気吸込渦）を抑制することができる。
【００６４】
本変形例では一例として、渦抑制部材ＥＩは、第２の変形例に係る支持部ＳＴｅの上に設けられている。なお、渦抑制部材ＥＩの支持は、床面でも側面でもよい。
本実施形態では渦抑制部材ＥＩは、一例として円環状の形状を有する。なお、渦抑制部材ＥＩの形状は任意である。
【００６５】
＜第３の変形例＞
図１８は、第３の実施形態の第２の変形例に係る支持部ＳＴｆの概略斜視図である。図１８に示すように、支持部ＳＴｆは、円環部材ＲＧ１、円環部材ＲＧ２、円環部材ＲＧ１及び円環部材ＲＧ２に連結され且つ円環部材ＲＧ１及び円環部材ＲＧ２を支持するパイプＰＬ１、ＰＬ２、ＰＬ３、ＰＬ４を有する。パイプＰＬ１、ＰＬ２、ＰＬ３、ＰＬ４は、互いに略等間隔で配置されている。円環部材ＲＧ１及び円環部材ＲＧ２は例えば、断面が略円状の円環である。
【００６６】
図１９は、第３の実施形態の第３の変形例に係るポンプシステムＰＳ３−３の下方部分の断面図である。図１９に示すように、パイプＰＬ２、ＰＬ４が、ポンプボウルＤＣ及び吸込ベルマウスＢＬの外側に設けられている。また、不図示の円環部材ＲＧ２がポンプボウルＤＣの外側を、間隔を設けて囲っている。
【００６７】
なお、円環部材ＲＧ１は、吸込ベルマウスＢＬの外側を、間隔を設けて囲っている。この構成により、円環部材ＲＧ１が渦抑制部材として機能し、円環部材ＲＧ１が渦の旋回を物理的に抑えるので、水の表面から空気を吸い込んで形成される渦（空気吸込渦）を抑制することができる。
【００６８】
図２０は、図１９のＨ−Ｈ断面図である。図２０に示すように、吸込ベルマウスＢＬの外面には、ポンプ側張出部Ｐｆ１、Ｐｆ２を有する。円環部材ＲＧ１の内側には支持側張出部Ｓｆ１、Ｓｆ２、Ｓｆ３、Ｓｆ４が設けられている。そして、ポンプケーシングＰＰを略水平方向に回転させることにより、ポンプ側張出部Ｐｆ１、Ｐｆ２それぞれが略水平方向から、対応する支持側張出部Ｓｆ１、Ｓｆ３に固定される。
【００６９】
なお、各実施形態において、ポンプシステムは支持部を複数備える構成にしてもよい。
【００７０】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００７１】
ＰＳ、ＰＳ２、ＰＳ２’、ＰＳ３、ＰＳ３−１、ＰＳ３−２、ＰＳ３−３  ポンプシステム
Ｐ、Ｐ２、Ｐ２’  立軸ポンプ
ＴＫ  ポンプ井（吸込水槽）
ＡＰ  ポンプ取付部
ＳＭ  シム
ＰＢ  据付用ベース
ＦＬ  ポンプ据付床
ＭＳ  回転軸
ＩＰ  羽根車
ＰＰ  ポンプケーシング
ＤＰ  吐出管
ＢＬ  吸込ベルマウス
ＤＣ  吐出しボウル
ＬＰ  揚水管
ＧＢ  ガイドベーン
ＯＢ  外軸受
ＷＢ  水中軸受
Ｐ１〜Ｐ４、Ｐｂ１〜Ｐｂ４、Ｐｃ１〜Ｐｃ４、Ｐｆ１、Ｐｆ３  ポンプ側張出部
ＳＴ、ＳＴｂ、ＳＴｃ、ＳＴｄ、ＳＴｅ、ＳＴｆ  支持部
Ｓ１〜Ｓ４、Ｓｂ１〜Ｓｂ４、Ｓｃ１〜Ｓｃ４、Ｓｆ１〜Ｓｆ４  支持側張出部
ＲＧ１、ＲＧ２  円環部材
ＰＬ１、ＰＬ２、ＰＬ３、ＰＬ４  パイプ
【図１】
2018044493.tif 000003
【図２】
2018044493.tif 000004
【図３】
2018044493.tif 000005
【図４】
2018044493.tif 000006
【図５】
2018044493.tif 000007
【図６】
2018044493.tif 000008
【図７】
2018044493.tif 000009
【図８】
2018044493.tif 000010
【図９】
2018044493.tif 000011
【図１０】
2018044493.tif 000012
【図１１】
2018044493.tif 000013
【図１２】
2018044493.tif 000014
【図１３】
2018044493.tif 000015
【図１４】
2018044493.tif 000016
【図１５】
2018044493.tif 000017
【図１６】
2018044493.tif 000018
【図１７】
2018044493.tif 000019
【図１８】
2018044493.tif 000020
【図１９】
2018044493.tif 000021
【図２０】
2018044493.tif 000022